(57)【要約】      （修正有）【課題】ＤＶＤ等の貸出しケースを店内に陳列する場合、盗難に遭わず、顧客に貸し出す際にロックを素早く解錠出来る貸出しケースを提供。【解決手段】貸出しケースは本体ケース１と本体ケース１を閉じる蓋２から成り、ケースの側面開口から警報装置が感知するタグシール等を有すロックプレート３を嵌入空間７にスライドして嵌入することで蓋２が開かないようにロックする構造とする。ロックプレート３は平板部１０とコ形断面の挟持部１１から成り、挟持部１１には撓み変形するアーム先端にロックツメ１５ａ，１５ｂを形成すると共に該アーム３０ａ，３０ｂには磁石３１ａ，３１ｂ又は磁性体を取付け、ケース外側には解錠具２５の起立部２７にロックプレート３を押圧するピン３４が嵌入する貫通穴３７を設ける。該ロックプレート３をケースのロックプレート嵌入空間７へ挿入してアーム先端のロックツメ１５ａ，１５ｂをケースに設けた係止部８などに係止する。【選択図】図６
2006232373.tif 000002
【特許請求の範囲】
【請求項１】
店内の棚に陳列したＤＶＤ等が盗難に遭わないように盗難防止機能を備えたＤＶＤ等の貸出しケースにおいて、該貸出しケースはＤＶＤ等の中心穴に嵌るヘソを備えた本体ケースと本体ケースを閉じる蓋から成り、ケースの側面開口から警報装置が感知するタグシール等を有すロックプレートをロックプレート嵌入空間にスライドして嵌入することで蓋が開かないように互いに噛み合ってロックする構造とし、ロックプレートは平板部とコ形断面の挟持部から成り、又挟持部には撓み変形するアーム先端にロックツメを形成すると共に該アームには磁石又は磁性体を取付け、そしてケース外側には解錠具の起立部に取付けてロックプレートを押圧する為のピンが嵌入する貫通穴を設け、該ロックプレートをケースのロックプレート嵌入空間へ挿入することでアーム先端のロックツメをケースに設けた係止部などに係止してロックすることを特徴とする盗難防止機能を備えたＤＶＤ等の貸出しケース。
【請求項２】
店内の棚に陳列したＤＶＤ等が盗難に遭わないように盗難防止機能を備えたＤＶＤ等の貸出しケースにおいて、該貸出しケースはＤＶＤ等の中心穴に嵌るヘソを備えた本体ケースと本体ケースを閉じる蓋から成り、ケースの側面開口から警報装置が感知するタグシール等を有すロックプレートをロックプレート嵌入空間にスライドして嵌入することで蓋が開かないように互いに噛み合ってロックする構造とし、ロックプレートは平板部とコ形断面の挟持部から成り、又挟持部には撓み変形するアーム先端にロックツメを形成すると共に該アームには磁石又は磁性体を取付け、そしてケース外側には解錠具の起立部に取付けてロックプレートを押出す為のエアーを噴射するピンが嵌入する貫通穴を設け、該ロックプレートをケースのロックプレート嵌入空間へ挿入することでアーム先端のロックツメをケースに設けた係止部などに係止してロックすることを特徴とする盗難防止機能を備えたＤＶＤ等の貸出しケース。
【請求項３】
本体ケース及び蓋の外側縁には内側へ突出するガイド片を設け、該ガイド片をロックプレートの挟持部に形成した側片にて挟み込んだ請求項１、又は請求項２記載の盗難防止機能を備えたＤＶＤ等の貸出しケース。
【請求項４】
本体ケースの内面及び蓋の内面から夫々リングを起立して設け、ロックプレートの先端に嵌入バーを延ばし、該嵌入バーを上記各リングの嵌入穴に嵌入した請求項１、請求項２、又は請求項３記載の盗難防止機能を備えたＤＶＤ等の貸出しケース。
【請求項５】
店内の棚に陳列したＤＶＤ等が盗難に遭わないように盗難防止機能を備えたＤＶＤ等の貸出しケースであって、該貸出しケースはＤＶＤ等の中心穴に嵌るヘソを備えた本体ケースと本体ケースを閉じる蓋から成り、ケースの側面開口から警報装置が感知するタグシール等を有すロックプレートをロックプレート嵌入空間にスライドして嵌入することで蓋が開かないように互いに噛み合ってロックする構造とし、ロックプレートは平板部とコ形断面の挟持部から成り、又挟持部には撓み変形するアーム先端にロックツメを形成すると共に該アームには磁石又は磁性体を取付け、そしてケース外側にはロックプレートを押圧する為のピンが嵌入する貫通穴を設け、該ロックプレートをケースのロックプレート嵌入空間へ挿入することでアーム先端のロックツメをケースに設けた係止部などに係止してロックするように構成した貸出しケースの上記ロックプレート解錠する為の解錠具にいて、解錠具の底部には上記アームを引き寄せる為の磁石などを備え、そして起立部には上記ケース外側に設けた穴に嵌入してロックプレートを押圧するピンを表面から突出して水平に設け、該ピンにはバネ力を付勢したことを特徴とするロックプレートの解錠具。
【請求項６】
店内の棚に陳列したＤＶＤ等が盗難に遭わないように盗難防止機能を備えたＤＶＤ等の貸出しケースであって、該貸出しケースはＤＶＤ等の中心穴に嵌るヘソを備えた本体ケースと本体ケースを閉じる蓋から成り、ケースの側面開口から警報装置が感知するタグシール等を有すロックプレートをロックプレート嵌入空間にスライドして嵌入することで蓋が開かないように互いに噛み合ってロックする構造とし、ロックプレートは平板部とコ形断面の挟持部から成り、又挟持部には撓み変形するアーム先端にロックツメを形成すると共に該アームには磁石又は磁性体を取付け、そしてケース外側にはロックプレートを押圧する為のピンが嵌入する貫通穴を設け、該ロックプレートをケースのロックプレート嵌入空間へ挿入することでアーム先端のロックツメをケースに設けた係止部などに係止してロックするように構成した貸出しケースの上記ロックプレート解錠する為の解錠具にいて、解錠具の底部には上記アームを引き寄せる為の磁石などを備え、そして起立部には上記ケース外側に設けた穴に嵌入してロックプレートを押出すピンを表面から突出して水平に設け、該ピンの中心軸には外部から供給される圧縮エアーを噴射する穴を設け、しかもピンにはバネ力を付勢したことを特徴とするロックプレートの解錠具。
【請求項７】
上記起立部には複数本のピンを取付けた請求項５、又は請求項６記載のロックプレートの解錠具。
【発明の詳細な説明】
【技術分野】
【０００１】
本発明はレンタルショップの棚に陳列されているＤＶＤ、ＣＤ、ゲームソフト等を盗難から守ることが出来る盗難防止機能を備えた貸出しケースに関するものである。
【背景技術】
【０００２】
ビデオテープの場合も同じであるが、ＤＶＤをケースのまま店内の陳列棚に直接配列している場合には盗難に遭うケースが多い。勿論、ＤＶＤの貸出しケースには盗難防止用のタグシールが貼着されていて、店の出入り口にある盗難防止ゲートをそのまま通過することで警報が鳴るようなシステムを採用している。しかし、このタグシールを剥してしまうならば、そのまま持ち出しても盗難防止ゲートが感知して警報を発することはない。
【０００３】
そこで、ＤＶＤを入れた貸出しケースをさらに別の陳列用ケースに入れた状態で店内の陳列棚に配列している場合が多い。そこで顧客は陳列ケースから取出して店のカウンターへ運んで借りることが出来る。この際、店員は所定の手続きをとった上でＤＶＤを収容した貸出しケースを顧客に手渡すことになるが、この該貸出しケースからＤＶＤが取出せるように解錠しなくてはならずこの作業が面倒である場合が多く、複数枚のＤＶＤを借りる場合に時間がかかって顧客に迷惑を掛けることになる。
【０００４】
特許第３３９９４７２８号に係る「ケース」は、陳列や販売以外に貸出しケースになると共に、収納商品の盗難を防止することが出来るものであり、この請求項４には「側面に商品の出し入れ用の開口を有する箱体と、この箱体の下縁側に適宜のヒンジを介して前記開口を開閉するように設けた蓋体と、この蓋体と前記箱体とのそれぞれの側壁の上縁から連なって上方に突出すると共に、延長を内方に７字状に屈曲した屈曲壁によって設けた並列係合溝とで構成したケースと、前記係合溝に連結板を介して対向する両側板の上縁部を前記ケースの閉鎖状態維持の係合状態に、かつ抜き差し自在に差し込んだスライダとから成り、上記スライダと上記ケース或は係合溝との対向面に前記スライダの差し込みにともない押し戻され、かつ差し込み終了にともない係合関係に成りうるような係止手段を設けたことを特徴とするケース。」である。
【０００５】
上記スライダにはダグが貼着されている為に、ケースの係合溝にスライダが差し込まれることで、ケースを開くことが出来ないと共に店からケースごと持ち出すことも出来ない。従って、盗難を防止することが可能と成るが、ケース内に収容されているＤＶＤを貸出しする際にはスライダを抜き取ってケースを開くことが出来る状態にしなくては成らない。本件発明のケースの場合には解除具が用いられ、該解除具をスライダを差し込んだ状態で形成される間隙に挿入して係止手段を解除することが出来るように成っている。
【０００６】
そこで、借りる為に客が持って来た個々のケースに解除具を挿入してスライダを抜き取った状態で貸し出す作業が強いられる。このような解錠操作はＤＶＤの貸出しケースごとに行わなくてはならず、一人の顧客が複数枚のＤＶＤを借りる場合、又別の顧客が貸出し手続きを待っている場合であれば、非常に手間がかかる操作となる。すなわち、複数枚が同時に解錠出来てスピーディな貸出しを行うことが出来るケースが望ましい。
【特許文献１】特許第３３９９４７２８号に係る「ケース」
【発明の開示】
【発明が解決しようとする課題】
【０００７】
このように、従来のＤＶＤ等の貸出しケースをロックしているスライダを解除して貸し出す作業は煩雑化し、客が一度に複数枚のＤＶＤを借りる場合には、貸出しに時間がかかる。本発明が解決しようとする課題はこの問題点であり、ＤＶＤを収容した複数枚の貸出しケースのスライダ(ロックプレート)を簡単に、しかも同時に解除することが出来る盗難防止機能を備えたＤＶＤ等の貸出しケースを提供する。又、ロックプレートを解錠することが出来る解錠具を提供する。
【課題を解決するための手段】
【０００８】
本発明に係るＤＶＤ等の貸出しケースは本体ケースと蓋から成り、蓋は継手部を介して開閉可能な構造とし、閉じることで本体ケースを被覆してＤＶＤ等を収納することが出来る。本体ケースの中央には従来のケースと同じようにＤＶＤ等の中心穴に嵌るヘソが突出して設けられ、そして蓋又は本体ケースには補助ケースを備えることもある。この補助ケースはチャプターシート、宣伝用のチラシ等を入れる為の空間である。
【０００９】
ところで、この貸出しケースは陳列用ケース(外ケース)に収容されて店の陳列棚に陳列されることになるが、貸出しケースからＤＶＤ等が盗まれないように蓋はロックされている。そこでロック構造としてはロックプレートが使用され、貸出しケースに設けた開口から該ロックプレートがスライドして挿入され、ロックプレートは本体ケースと蓋に噛み合って係合することが出来る。従って、蓋は開くことなく本体ケースにロックされる。
【００１０】
そして、貸出しケースの側縁には内部へ連通する穴を貫通し、該穴からピンを挿入してロックプレートを押圧することでスライドさせてロックプレートが引き抜かれる。ところで、貸出しケースに挿入したロックプレートにはロックツメが設けられ、該ロックツメは貸出しケースの係止部に係止している為に外れない構造と成っている。該ロックツメは撓み変形するアーム先端に形成され、アームには磁石または磁石に作用する磁性体を備えている。
【００１１】
そこで、上記ロックツメを係止部から外す為に磁石が用いられ、磁石の磁気力を利用してロックツメを磁石側へ引き寄せて係止部から外し、その状態でロックプレートをスライドして取外すことが出来る構造としている。ここで、ロックプレートにはタグシールが貼着されていて、取外さないで貸出しケースを持ち出すならば、出入り口に設置している防犯装置が感知して警報を発するようなる。
【００１２】
ところで、上記ケース外側に貫通した穴に挿入するピンは解錠具の起立部に取付けられ、該ピンは起立部に複数本設けられて適当なピンが穴に嵌る。その為に、各ピンにはバネ力が付勢されて起立部表面から突出し、先端が押圧されることで後退することが出来る。また、ピンによってロックプレートを直接押圧するのではなく、該ピンからエアーを噴射し、このエアー圧にてロックプレートをスライドして取外すように構成することが可能である。
【００１３】
一方、ケース外側に設けた穴から挿入したピンをロックプレートに係止し、この状態でケースを持ってスライドさせることで、該ロックプレートを引き抜くことも可能である。すなわち、ロックプレートにピン先端を係止してケースを引くことで該ロックプレートを取外す方法であり、ピン先端をロックプレートに係止する具体的な手段は限定しない。
【発明の効果】
【００１４】
本発明のＤＶＤ等の貸出しケースは蓋をロックする為のロックプレートを嵌入していて、このロックプレートを取外すことで蓋を開くことが出来る。そしてロックプレートには撓み変形するアームが取付けられていると共に、該アームにはケース側に設けた係止部に係止する為のロックツメを有している。そこで、貸出しケースを複数枚重ねて解錠具の上に置き、上面に設けている磁石によってアームに備えている磁石又は磁性体が引かれることでロックツメは解錠される。
【００１５】
そして、ロックツメが解錠された状態で、ロックプレートをケース外側の穴から挿入したピンによって押圧することで、又ピンからエアーを噴射することで、さらにはピン先端を係止することでロックプレートを抜くことが出来る。そして、同時に複数枚の貸出しケースのロックを解錠してロックプレートの取外しが可能となり、貸出しを待つ顧客に迷惑をかけなくて済む。
【実施例】
【００１６】
図１は本発明に係る盗難防止機能を備えたＤＶＤの貸出しケースの外観を示している実施例である。同図の１は本体ケース、２は蓋を示し、蓋２は開閉可能に本体ケース１の縁３に取付けられていて、該本体ケース１に被覆される。本体ケース１にはＤＶＤが収容され、該本体ケース１の中央に突出して設けたヘソがＤＶＤの穴に嵌って取付けられる。ところでＤＶＤは本体ケース１に収容されて蓋２が閉じられ、この状態で、陳列用ケース(図示なし)に入れて店内の棚に配列される。
【００１７】
陳列用ケースにはタイトルシートが備わっている為に、顧客は陳列用ケースからＤＶＤが収容されている貸出しケースを抜取ってカウンターへ持ち運んで借りることが出来る。ところで、本発明の貸出しケースは蓋２を開いてＤＶＤが抜取られないように、該蓋２はロックされている為に、カウンターではこのロックを解錠して貸出すことになる。すなわち、貸出しケースの蓋２を閉じてロックプレート３を本体ケース１の開口４から挿入することで蓋２はロックされる構造と成っており、貸し出す際には該ロックプレート３が抜き取られる。
【００１８】
図２は本発明に係る貸出しケースの内部構造を示している実施例である。(ａ)は蓋２を透視した本体ケース１の正面内部形態、(ｂ)は左側面図、(ｃ)は右側面図をそれぞれ示している。本体ケース１にはＤＶＤを収容する為の空間とロックプレートを嵌入する為の空間が設けられ、ＤＶＤ収容空間5の中央にはヘソ６が突出していて、ＤＶＤの中心穴に嵌るようになっている。このヘソ６は従来のＣＤケースと同じである。
【００１９】
一方のロックプレート嵌入空間7にはロックプレート3がスライドして嵌入し、蓋２が開かないようにロックされる訳であり、(ｂ)に示すように蓋２を閉じた状態でロックプレート３が嵌入する為の開口４を外側に形成している。該開口４から嵌入したロックプレート３は嵌入完了に伴ってロックされ、解錠具にて解錠しない限り抜き取ることが出来なくなる。
【００２０】
その為に、本体ケース１のロックプレート嵌入空間７には係止部８ａ，８ｂ、及び係止溝９が設けられ、差し込まれたロックプレート３のロックツメが上記係止部８ａ，８ｂ、及び係止溝９に係止することが出来る。同時に、差し込まれたロックプレート３によって蓋２が開かないような構造と成っている。
【００２１】
図３はこのロックプレート３を示す具体例であるが、ロックプレート３は平板部１０とコ型断面の挟持部１１を有し、挟持部１１は全長にわたって形成され、平板部１０の先端には嵌入バー１３を嵌入方向へ突出して設けている。そして平板部１０の手前側にはコ型の挟持片１２ａ，１２ｂが２箇所に設けている。
【００２２】
一方、コ型をした上記挟持部１１の内部には基部１４ａ，１４ｂを支点として撓み変形するアーム３０ａ，３０ｂを有し、該アーム３０ａの先端にはロックツメ１５ａが設けられ、アーム３０ｂの先端にはロックツメ１５ｂが設けられている。そしてこれらロックツメ１５ａ，１５ｂは挟持部背面１６から内側へ突出している。このロックツメ１５ａ，１５ｂは背面１６から常時突出した状態にあるが、撓み変形するならば上記背面１６から後退することが出来る。
【００２３】
ところで、このロックプレート３を上記貸出しケースの開口４からロックプレート嵌入空間７へ嵌入するならば、平板部１０は蓋面に接してガイドされ、本体ケース１の内面から起立した係止部８ａ，８ｂ、及び各リブ１７，１７・・との隙間に嵌る。又、挟持部１１の両側片１８，１８は本体ケース１及び蓋２の外側縁から内側へ延びるガイド片１９，１９を挟み込み、同じくガイド片２０，２０を挟み込むことが出来る。
【００２４】
さらに、本体ケース面から突出して設けられているリング２３の嵌入穴２１、及び蓋面から突出して設けているリング２４の嵌入穴２２にはロックプレート３の先端に形成している嵌入バー１３が嵌入する。一方、ロックプレート嵌入空間７の蓋側入口付近に設けている係止穴３３ａ，３３ｂに挟持片１２ａ，１２ｂが嵌る。従って、ロックプレート３が挿入されるさらば、上記ガイド片１９，１９、２０，２０、及び嵌入穴２１，２２、さらには係止穴３３ａ，３３ｂを拘束することで蓋２は開くことが出来なくなる。しかも、ロックツメ１５ａ，１５ｂが係止部８ａ，８ｂ、及び係止溝９に係止することで取外すことも出来ない。
【００２５】
図４は外側縁に設けたガイド片１９，１９をロックプレート３の挟持部側片１８，１８が挟み込んでいる状態の断面を、図５(ａ)は本体ケース１の内面から起立して設けたリング２３の嵌入穴２１に嵌入バー１３が嵌入している場合、図５(ｂ)は蓋２の内面から起立して設けたリング２４の嵌入穴２２に嵌入バー１３が嵌入している場合の断面図を示している。本体ケース側と蓋側から起立して設けたリング２３，２４の嵌入穴２１，２２に連続した嵌入バー１３が嵌入することで蓋２はロックされる。
【００２６】
図6〜図８はロックプレート３を貸出しケースから解錠具２５を用いて抜き取る場合を示している。該解錠具２５は底部２６と該底部２６に対して垂直に起立する起立部２７を有すＬ形を成し、底部２６には磁石２８ａ，２８ｂを取付けている。そして、起立部２７には複数本のピン３４，３４・・が設けられ、該ピン３４，３４・・にはバネ力が付勢されている為に起立部表面３５から突出してロックプレート３を押圧する。このように構成した解錠具２５に貸出しケースを図６に示すように載置してロックプレート３を取外すことが出来る。
【００２７】
ところで、底部２６に備えている磁石２８ａ，２８ｂはロックツメ１５ａ，１５ｂを先端に形成したアーム３０ａ，３０ｂに取着している磁石３１ａ，３１ｂを引き寄せる。すなわち、該アーム３０ａ，３０ｂは磁石側へ撓み変形することが出来、その結果ロックツメ１５ａは係止部８ａから解除され、ロックツメ１５ｂは係止溝９から解除される。
【００２８】
起立部２７には複数本のピン３４，３４・・が表面３５からバネ力を付勢した状態で突出して設けられ、前記図６のように解錠具２５に貸出しケースを載置するならば、ケース側面３６に貫通して設けた穴３７にピン３４が嵌入し、該ピン３４はロックプレート３を押圧する。ロックプレート３のロックツメ１５ａ，１５ｂは磁石２８ａ，２８ｂにて解除される為に、ロックプレート３は図７に示すように押出される。
【００２９】
図９は２枚の貸出しケースを解錠具２５に載置した場合であるが、起立部２７の表面３５からは上下２列を成して複数本のピン３４，３４・・が突出し、２枚の貸出しケースを適度に載置することで、これらピン３４，３４・・の適当な位置にある１本のピン３４がケース外側３６の穴３７に嵌ることが出来る。そして、貸出しケースを起立部２７の表面側へ移動させるならば、穴３７に嵌ったピン３４に押されてロックプレート３は押出される。
【００３０】
図７に示すようにロックプレート３の一部が押出されたならば、図８に示すようにロックプレート３を手で引き抜くことが出来る。実施例ではロックプレート３及び解錠具２５に磁石を備えているが、互いに引き合う何れか片方のみ磁石とし、対向側にはスチールなどの磁性体を取付ける場合もある。
【００３１】
図１０に示す解錠具２５はエアーを噴射してロックプレート３を押出すように構成したものである。底部２６に前記実施例の場合と同じく磁石２８ａ，２８ｂが設けられ、又起立部２７には複数本のピン３８，３８・・を取付けている。該ピン３８，３８・・は起立部表面３５からバネ力が付勢されて突出しているが、先端を押すならば後退する。起立部２７にはエアーホース３９が接続し、該エアーホース３９を流れたエアーがピン３８，３８・・の中心軸に貫通した穴を通って噴射する。
【００３２】
貸出しケースの外側３６には穴３７，３７が貫通して設けられ、起立部２７に設けた複数本のピン３８，３８・・のうち適度な１本が貸出しケースを解錠具２５に載置することで外側３６の穴３７に嵌り、該ピン３８からエアーが噴出してロックプレート３を押出すことが出来る。図１０、図１１、図１２はロックプレート３を解錠具２５にて取外す場合を示している。エアーの噴出は全てのピン３８，３８・・から噴射しないように、貸出しケースが載置される位置及びピン３８の位置を検出することで制御することが出来る。
【００３３】
勿論、貸出しケースを上面３２に載置するならば、磁石２８ａ，２８ｂに引かれてアーム３０ａ，３０ｂは撓み変形し、その結果ロックツメ１５ａ，１５ｂは係止部８ａ及び係止溝９から解除される。そこで、貸出しケースの外側穴３７に嵌ったピン３８からエアーを噴射することでロックプレート３は図１１のようにケースから押出される。
【００３４】
貸出しケースから一部押出されたならば、ロックプレート３を手で摘んで取外すことが出来、図１２はロックプレート３を完全に引き抜いた場合である。ところで、解錠具２５にてロックプレート３を取り外すことが出来る解錠作業は、前記実施例の場合と同じく複数枚の貸し出しケースを同時に行うことが出来る。すなわち、複数枚の貸出しケースを並べて解錠具２５に載置し、解錠作業を行い得る。
【００３５】
図１３は本発明に係る貸出しケースに嵌入されるロックプレート３の別形態を表している。ロックプレート３の基本的な形態は前記図３に示したロックプレート３と共通しており、平板部１０とコ型断面の挟持部１１を有し、挟持部１１は全長にわたって形成され、平板部１０の先端には嵌入バー１３を挿入方向へ突出して設けている。
【００３６】
そして平板部１０の手前側にはコ型の挟持片１２ａ，１２ｂが２箇所に設けている。一方、コ型をした上記挟持部１１の内部には基部１４ａ，１４ｂを支点として撓み変形するアーム３０ａ，３０ｂを有し、該アーム３０ａの先端にはロックツメ１５ａが設けられ、アーム３０ｂの先端にはロックツメ１５ｂが設けられている。そしてこれらロックツメ１５ａ，１５ｂは挟持部背面１６から内側へ突出している。このロックツメ１５ａ，１５ｂは背面１６から常時突出した状態にあるが、撓み変形するならば上記背面１６から後退する。
【００３７】
ところで、このロックプレート３を前記図２に示した貸出しケースの開口４からロックプレート嵌入空間７へ挿入するならば、平板部１０は蓋面に接してガイドされ、本体ケース１の内面から起立した係止部８ａ，８ｂ、及び各リブ１７，１７・・との隙間に嵌る。ここで、貸出しケースの外側３６に設けている貫通穴３７は必要ない。そして、挟持部１１の両側片１８，１８は本体ケース１及び蓋２の外側縁から内側へ延びるガイド片１９，１９を挟み込み、同じくガイド片２０，２０を挟み込むことが出来る。
【００３８】
さらに、本体ケース面から突出して設けられているリング２３の嵌入穴２１、及び蓋面から突出して設けているリング２４の嵌入穴２２にはロックプレート３の先端に形成している嵌入バー１３が嵌入する。一方、ロックプレート嵌入空間７の蓋側入口付近に設けている係止穴３３ａ，３３ｂに挟持片１２ａ，１２ｂが嵌る。従って、ロックプレート３が挿入されるさらば、上記ガイド片１９，１９、２０，２０、及び嵌入穴２１，２２、さらには係止穴３３ａ，３３ｂを拘束することで蓋２は開くことが出来なくなる。しかも、ロックツメ１５ａ，１５ｂが係止部８ａ，８ｂ、及び係止溝９に係止することで取外すことも出来ない。
【００３９】
一方、該ロックプレート３の背面板４０には複数の係止穴４１，４１・・が貫通して設けられている。そして、解錠具２５の起立部２７には水平に延びる複数本の係止ピン４２，４２・・が表面３５から突出し、上記係止穴４１に係止ピン４２を係止した状態で引き抜くことが出来る。すなわち、ロックプレート３が挿入してロック状態にある貸出しケースを解錠具２５に載置して起立部側へ移動するならば、突出している係止ピン４２，４２・・の少なくとも１本が係止穴４１に嵌って係止する。図１４はその状態を表している。
【００４０】
解錠具２５は底部２６と該底部２６に対して垂直に起立する起立部２７を有すＬ形を成し、底部２６には磁石２８ａ，２８ｂを取付けている。そして、起立部２７には複数本の係止ピン４２，４２・・が設けられ、該係止ピン４２，４２・・にはバネ力が付勢されている為に表面３５から突出し、ロックプレート３の背面板４０に設けている係止穴４１に１本の係止ピン４２が嵌って係止する。
【００４１】
ところで、底部２６に備えている磁石２８ａ，２８ｂはロックツメ１５ａ，１５ｂを先端に形成したアーム３０ａ，３０ｂに取着している磁石３１ａ，３１ｂを引き寄せる。すなわち、該アーム３０ａ，３０ｂは磁石側へ撓み変形することが出来、その結果ロックツメ１５ａは係止部８ａから解除され、ロックツメ１５ｂは係止溝９から解除される。
【００４２】
従って、図１５に示すようにこの状態で貸出しケースを引くならば、係止ピン４２に係止しているロックプレート３はその位置に残される為に、貸出しケースから引き抜かれることに成る。図１６はロックプレート３が完全に取外された状態を表している。
【図面の簡単な説明】
【００４３】
【図１】本発明の貸出しケースで蓋を開いた状態の概略図。
【図２】(ａ)は本発明の貸し出しケースの正面透視図、(ｂ)は貸出しケースの左側面図、(ｃ)は貸出しケースの右側面図。
【図３】ロックプレートの実施例。
【図４】ロックプレートを貸出しケースに挿入した場合の外側縁に形成したガイド片と挟持部側片との噛合い状態。
【図５】ロックプレートを貸出しケースに挿入した場合、本体ケース及び蓋から起立して形成したリングの嵌入穴に嵌入バーが嵌入した場合の断面図。
【図６】貸出しケースを解錠具に載置した場合。
【図７】解錠具にてロックプレートを一部押出した状態。
【図８】解錠具にてロックプレートを完全に取外した場合。
【図９】解錠具の起立部に設けられている複数本のピンと解錠具に載置した貸出しケース。
【図１０】貸出しケースを解錠具に載置した場合。
【図１１】解錠具にてロックプレートを一部押出した状態。
【図１２】解錠具にてロックプレートを完全に取外した場合。
【図１３】ロックプレートの実施例。
【図１４】貸出しケースを解錠具に載置した場合。
【図１５】解錠具にてロックプレートを一部引き抜いた状態。
【図１６】解錠具にてロックプレートを完全に取外した場合。
【符号の説明】
【００４４】
１  本体ケース
２  蓋
３  ロックプレート
４  開口
５  ＤＶＤ収容空間
６  ヘソ
７  ロックプレート嵌入空間
８  係止部
９  係止溝
10  平板部
11  挟持部
12  挟持片
13  嵌入バー
14  基部
15  ロックツメ
16  背面
17  リブ
18  側片
19  ガイド片
20  ガイド片
21  嵌入穴
22  嵌入穴
23  リング
24  リング
25  解錠具
26  底部
27  起立部
28  磁石
30  アーム
31  磁石
32  上面
33  係止穴
34  ピン
35  表面
36  外側
37  穴
38  ピン
39  エアーホース
40  背面板
41  係止穴
【図１】
2006232373.tif 000003
【図２】
2006232373.tif 000004
【図３】
2006232373.tif 000005
【図４】
2006232373.tif 000006
【図５】
2006232373.tif 000007
【図６】
2006232373.tif 000008
【図７】
2006232373.tif 000009
【図８】
2006232373.tif 000010
【図９】
2006232373.tif 000011
【図１０】
2006232373.tif 000012
【図１１】
2006232373.tif 000013
【図１２】
2006232373.tif 000014
【図１３】
2006232373.tif 000015
【図１４】
2006232373.tif 000016
【図１５】
2006232373.tif 000017
【図１６】
2006232373.tif 000018